(57)【要約】      （修正有）【課題】通気性が良く、人の体重によっても変形しにくい弾性ベッドの構造を提供する。  【解決手段】枠組みとベントウッドで構成する弾性ベッドであり、枠組みに複数の等間隔に配列するアーチ型のベントウッドを配置し、ベントウッドに直交する弾性ベルトを設け、一対の斜円錐状のスポンジ発泡体ボードを両サイドに配置し、上面にソフトシートで平らな面を形成する。ベントウッドは天然木材又はプラスティックを使用して等間隔に配列する。【選択図】図２
0003171404.tif 000002
【実用新案登録請求の範囲】
【請求項１】
枠組み及びベントウッドを含み、
枠組みの両サイドに複数の定置台を設置し、これらの定置台にベントウッドを設け、ベントウッドに斜円錐状のスポンジ発泡体ボードを設けて平らな面を形成し、更に全体的に生地層で覆うことを特徴とする弾性ベッドの構造。    
【請求項２】
前記ベントウッドの複数に亘って弾性ベルトを設けて連結することを特徴とする請求項１記載の弾性ベッドの構造。
【請求項３】
前記スポンジ発泡体ボードにソフトシートを設けることを特徴とする請求項１記載の弾性ベッドの構造。
【請求項４】
前記枠組みの周辺をスポンジ発泡体シートで覆うことを特徴とする請求項１記載の弾性ベッドの構造。
【請求項５】
前記定置台に穴を具有し、そこにベントウッドを差し込むことを特徴とする請求項１記載の弾性ベッドの構造。
【請求項６】
前記ベントウッドは、天然木材又はプラスティックを用いることを特徴とする請求項１記載の弾性ベッドの構造。
【考案の詳細な説明】
【技術分野】
【０００１】
本考案は弾性ベッドの構造に関し、特に湾曲したベントウッドを使用し、通気効果を高める弾性ベッドの構造に関する。
【背景技術】
【０００２】
従来技術の弾性ベッド(またはスプリングベッド)の構造は、全て数個の螺旋状のスプリングで構成している。つまり、二枚の金属ネットの中に、複数個の螺旋状スプリングを敷き詰め、該スプリングを支え、受け止めるために、両面に比較的厚めのブロック状のスポンジ発泡体を敷く。よって、従来のスプリングベッドは下記の短所を持つ：（１）両面に厚めのブロック状スポンジ発泡体を敷くため、空気が流れるのを妨げるため、通気性が悪い。(２)、スプリングが人の体重で長時間に押されると、弾性疲労の問題が生じ、該部位のみデコボコしてしまい、耐用性が悪いなどを鑑みて、更なる改善が必要であった。
【先行技術文献】
【特許文献】
【０００３】
【特許文献１】特開２００９−１４８３６４
【考案の概要】
【考案が解決しようとする課題】
【０００４】
前記公知構造の欠点を解決するため、本考案は通気性がよく、人の体重に耐えられる、耐用性の良い弾性ベッドを提供することを主な課題とする。
【課題を解決するための手段】
【０００５】
前記課題を解決するために、本考案は弾性ベッドの構造を提供するものである。主に枠組みに複数本の天然木材であるアーチ型に彎曲したベントウッドを設置し、弾性ベルトで連結する。また、ベントウッドの上に斜円錐状のスポンジ発泡体ボード及びソフトシートを設けて平らな面を形成する。また、ベントウッドの弾力性を介し、片面のみスポンジ発泡体ボードを敷くことで通気効果をアップする。また、ベントウッドに人の体重を乗せると、受ける力が均等に分散するため、変形しにくく、耐用性がある。
【０００６】
すなわち、請求項１の考案は、枠組み１０及びベントウッド１２を含み、枠組み１０の両サイドに複数の定置台１１を設置し、これらの定置台にベントウッド１２を設け、ベントウッド１２に斜円錐状のスポンジ発泡体ボード１４を設けて平らな面を形成し、更に全体的に生地層１７で覆うことを特徴とする弾性ベッドの構造である。    
【０００７】
請求項２の考案は、請求項１記載の弾性ベッドの構造において、前記ベントウッド１２の複数に亘って弾性ベルト１３を設けて連結することを特徴とする。
請求項３の考案は、請求項１記載の弾性ベッド１３の構造において、前記スポンジ発泡体ボード１４にソフトシート１６を設けることを特徴とする。
請求項４の考案は、請求項１記載の弾性ベッドの構造において、前記枠組み１０の周辺をスポンジ発泡体シート１４で覆うことを特徴とする。
請求項５の考案は、請求項１記載の弾性ベッドの構造において、前記定置台１１に穴を具有し、そこにベントウッド１２を差し込むことを特徴とする。
請求項６の考案は、請求項１記載の弾性ベッドの構造において、前記ベントウッド１２は天然木材又はプラスティックを用いることを特徴とする。
【考案の効果】
【０００８】
本考案の弾性ベッドの構造によれば、枠組みとベントウッド及び、弾性ベルト、スポンジ発泡体ボード、ソフトシートの設置により、耐用性及び通気性がアップし、健康に良いという効果が得られる。
【図面の簡単な説明】
【０００９】
【図１】本考案の実施例１の立体分解図である。
【図２】本考案の図１の両サイド方向の断面である組立断面図である。
【図３】本考案の図１の長手方向の断面である組立断面正視図である。
【図４】本考案の枠組み、ベントウッド、定置台構造の立体図である。
【図５】本考案を二つ組み合わせた実施例２の図である。
【図６】図５を折りたたんだ略図である。
【考案を実施するための形態】
【実施例】
【００１０】
本考案の弾性ベッドの構造の実施例１を図面に沿って説明する。
図１、図２、図３、及び図４に示すように、外枠を形成する矩形の枠組み１０に複数本の等間隔に配列するアーチ型に湾曲したベントウッド１２を設ける。
該枠組み１０とベントウッド１２のとの組合せを説明すると、枠組み１０の両サイドに組合せ穴１０１、組合せ柱１１１(図４を参照)を具有する定置台１１を設置し、該定置台１１の組合せ柱１１１を枠組み１０の組合せ穴１０１に挿入する。定置台１１は挿入穴１１０を具有し、ベントウッド１２を等間隔に嵌合する。なお、本実施例１では、ベントウッド１２に天然木材を使用したが、プラスティックを使用しても良い。
【００１１】
また、ベントウッド１２の所定位置に、数本の弾性力のある弾性ベルト１３を各ベントウッド１２と直交して連結し、該ベントウッド１２に斜円錐状のスポンジ発泡体ボード１４を設けて、枠組み１０の両サイドに一対のスポンジ発泡体ボード１４の斜円錐状の厚み部分が位置するようにして上面が平らな面を形成するようにし、更にスポンジ発泡体ボード１４の上にソフトシート１６が平坦になるように設ける。及び、枠組み１０の周辺にスポンジ発泡体シート１５を用いて周辺を覆ってから、全体的に通気性のある生地層１７(図２,３を参照)で覆う。
【００１２】
上記構造により、下記の機能及びメリットを具有する：
(１)図２及び図４に示すように、ベントウッド１２は湾曲した「アーチ型」を形成することで、平均的に人体の体重を受けるため、一部分のみ凹む問題が起こらず、耐用性がアップする。
(２)図２及び図３に示すように、ベントウッド１２を湾曲にしたので充分に空気が流通し、また底部に通気性のある生地層１７を具有するため、空気が流れ、通気性がアップする。
(３)弾性ベルト１３が各ベントウッド１２を連結するため、補強効果があり、比較的重い重量を耐えることができる。
(４)アーチ型のベントウッド１２はベストな弾性効果をもたらす。
【００１３】
また、前記技術に基づいて、本考案は下記のような実施例２に変更することができる。すなわち、図５及び図６に示すように、主に、全体を２分割し、接続シート１８を用いて接続し、二つに折り畳む構成以外は、実施例１の構成と同じある。そして、(１)ベントウッド１２は天然木材、もしくはプラスティックを使用することができる。
(２)図５及び図６は、アーチの中央部分でのアーチに直角方向の断面であるが、図５に示すように、二組の枠組み１０の間に接続シート１８を使用して組合せると、二つの弾性ベッドを連結し、図６に示すように、折り曲げることもできる。
この実施例２では、コンパクトに折り畳むことができ、不使用時の収納が容易である。
なお、本考案の特徴を損なうものでなければ、上記の実施例に限定されるものではないことは勿論である。
【符号の説明】
【００１４】
１０  枠組み
１１  定置台
１１０  挿入穴
１１１  組合せ柱
１０１  組合せ穴
１２  ベントウッド
１３  弾性ベルト
１４  スポンジ発泡体ボード
１５  スポンジ発泡体シート
１６  ソフトシート
１７  生地層
１８  接続シート
【図１】
0003171404.tif 000003
【図２】
0003171404.tif 000004
【図３】
0003171404.tif 000005
【図４】
0003171404.tif 000006
【図５】
0003171404.tif 000007
【図６】
0003171404.tif 000008